(57)【要約】本発明は、１回用量処置製品であって、  ａ）以下を含む積層体を含むシールされた使い捨て包装；    ｉ）アルミニウムバリヤー層；及び    ｉｉ）ポリプロピレン、ポリイミド及びナイロン１２から選択されるポリマー接触層；  ｂ）包装内に包含される液体処置製品であって、以下を含む液体処置製品；    ｉ）被膜形成ポリマー；    ｉｉ）沸点が１５０℃未満であり、溶解度パラメータが２２（ＭＰａ）0.5未満である、前記被膜形成ポリマーのための有機溶媒；及び    ｉｉｉ）活性剤；を含み、その際、積層体のポリマー接触層が液体処置製品に接触している、前記１回用量処置製品を提供する。  １回用量処置製品を含むキット及び当該１回用量処置製品を採用した口腔組織の処置方法も提供される。本明細書の製品、キット及び方法は、簡便な口腔処置、特に長期レジメンを用いる歯用ホワイトニング処置のために提供される。【特許請求の範囲】
【請求項１】
１回用量処置製品であって、
ａ）以下を含む積層体を含むシールされた使い捨て包装；
ｉ）アルミニウムバリヤー層；及び
ｉｉ）ポリプロピレン、ポリイミド及びナイロン１２から選択されるポリマー接触層；
ｂ）包装内に包含される液体処置製品であって、以下を含む液体処置製品；
ｉ）被膜形成ポリマー；
ｉｉ）沸点が１５０℃未満であり、溶解度パラメータが２２（ＭＰａ）0.5未満である、被膜形成ポリマーのための有機溶媒；及び
ｉｉｉ）活性剤；
を含み、その際、積層体のポリマー接触層が液体処置製品に接触している、前記１回用量処置製品。
【請求項２】
ポリマー接触層がポリプロピレンである、請求項１に記載の１回用量処置製品。
【請求項３】
溶媒がエチルアセテート、２−ブタノン及びヘプタンから選択され、好ましくは溶媒が２−ブタノンである、請求項１又は請求項２に記載の１回用量処置製品。
【請求項４】
被膜形成ポリマーがオルガノシロキサン樹脂である、請求項１〜３のいずれか一項に記載の１回用量処置製品。
【請求項５】
活性剤が、歯用ホワイトニング剤であり、好ましくは過炭酸ナトリウムである、請求項１〜４のいずれか一項に記載の１回用量処置製品。
【請求項６】
使い捨て包装が、１つの長手方向のシールと２つの横方向のシールとを有する三方向シール袋である、請求項１〜５のいずれか一項に記載の１回用量処置製品。
【請求項７】
袋が、横方向シールの１つに伸びる引裂切り目を包含する、請求項６に記載の１回用量処置製品。
【請求項８】
使い捨て包装が、トレイ部分と積層体から作られるカバーとを含む可剥性ブリスターであり、カバーがトレイ部分にシールされる、請求項１〜５のいずれか一項に記載の１回用量処置製品。
【請求項９】
トレイ部分が、ポリプロピレンから形成されるか又は液体処置製品と接触するポリプロピレン層を有する、請求項８に記載の１回用量処置製品。
【請求項１０】
請求項１〜９のいずれか一項に記載の複数の処置製品と複数の塗布具とを含むキット。
【請求項１１】
１回用量製品当たり１つの塗布具を含む、請求項１０に記載のキット。
【請求項１２】
唇牽引子及び／又は歯ブラシをさらに含む、請求項１０又は請求項１１に記載のキット。
【請求項１３】
１０〜２５個の塗布具及び１０〜２５個の１回用量製品、好ましくは１４個の塗布具及び１４個の１回用量製品を含む、請求項１０〜１２のいずれか一項に記載のキット。
【請求項１４】
口腔の軟組織又は硬組織を処置する方法であって：
ａ）請求項１に記載の１回用量処置製品の包装を開封すること；及び
ｂ）口腔の軟組織又は硬組織へ液体処置製品を塗布すること；及び
ｃ）溶媒を蒸発させ、少なくとも１０分間の処置時間、残留処置製品を口腔の軟組織又は硬組織へ接触させておくこと、
を含む方法。
【請求項１５】
処置時間の終了時に残留処置製品を除去する工程をさらに含む、請求項１４に記載の方法。
【請求項１６】
処置時間が１時間又はそれ以上、好ましくは一晩である、請求項１４に記載の方法。
【請求項１７】
工程ａ）〜ｃ）が毎日、７日間〜２１日間、好ましくは１４日間繰り返される、請求項１４に記載の方法。
【発明の詳細な説明】
【技術分野】
【０００１】
本発明は、被膜形成ポリマーのための揮発性溶媒を含む口腔処置製品であり、特に当該口腔処置製品が歯用ホワイトニング製品である口腔処置製品の包装及び使用に関する。
【背景技術】
【０００２】
クレンジング製品を使う伝統的なブラッシングの他に、例えば、歯用ホワイトニング製品を使って自身の歯を処置することができることに対する人々の需要が高まっている。代表的な歯用ホワイトニング組成物が、ＰＣＴ国際公開特許ＷＯ０１／０１９４０に開示されている。
【０００３】
先に参照したＰＣＴ出願に開示された処置用流体は、揮発性溶媒に溶解するか又は分散した被膜形成ポリマーを含み、例えば、処置が必要な表面に塗ることにより適用され得る多くの有用な流体組成物のうちの一例にすぎない。かかる流体が提起する問題の１つは、流体の乾燥を防ぐが、必要な時には使い易い好都合な包装体の提供を必要とすることである。出願人は、多くの一般的な包装材料と使用する溶媒との不相溶性によってさらに大きな問題が示されることを見出した。一層さらなる困難が、このような製品のユーザーが数日間にわたって処置レジメンを有効及び衛生的な方法で維持するのを補佐する必要性によって示される。
【発明の開示】
【発明が解決しようとする課題】
【０００４】
したがって、本発明の目的は１回用量処置製品を提供することであり、揮発性の被膜形成液体が、貯蔵寿命の長い簡便な包装に入って提供される。本発明の更なる目的は、目詰まりした又は汚れた塗布具によって中断されない従いやすいレジメンをこのような製品を必要とするユーザーに提供するため、このような製品数個を、液体用の複数の塗布具と共に含有するキットを提供することにある。
【０００５】
これら及びその他の目的は、次の詳細な説明から容易に明らかになるであろう。
すべての引用された文書は、関連の部分において参考として本明細書に組み込まれ、いずれの文書の引用も、それが本発明に関して先行技術であるということの承認として解釈されるべきではない。
【課題を解決するための手段】
【０００６】
本発明は、１回用量処置製品であって、
ａ）以下を含む積層体を含むシールされた使い捨て包装；
ｉ）アルミニウムバリヤー層；及び
ｉｉ）ポリプロピレン、ポリイミド及びナイロン１２から選択されるポリマー接触層；
ｂ）包装内に包含される液体処置製品であって、以下を含む液体処置製品；
ｉ）被膜形成ポリマー；
ｉｉ）沸点が１５０℃未満であり、溶解度パラメータが２２（ＭＰａ）0.5未満である、被膜形成ポリマーのための有機溶媒；及び
ｉｉｉ）活性剤；
を含み、その際、積層体のポリマー接触層が液体処置製品に接触している、前記１回用量処置製品を提供する。１回用量処置製品を含むキット及び１回用量処置製品を採用した口腔組織の処置方法も提供される。
【０００７】
本明細書の製品、キット及び方法は、簡便な口腔処置、特に長期レジメンを用いる歯用ホワイトニング処置のために提供される。
【発明を実施するための最良の形態】
【０００８】
本発明は、シールされた使い捨て包装と、当該包装内に包含される液体処置製品を含む１回用量処置製品を提供する。
【０００９】
特に指定がない限り、本明細書で用いられているパーセンテージ及び比率はすべて重量によるものであり、測定はすべて２５℃で行う。
【００１０】
液体処置製品は、被膜形成ポリマー、ポリマーの溶媒及び所望の処置を実施する活性剤を含む。
【００１１】
（被膜形成ポリマー）
用語「被膜形成ポリマー」は、本明細書において、単独で又は可塑剤の存在下で不溶性被膜を形成できるポリマーを意味する。被膜形成ポリマーは、溶媒中に溶解されるか、又は粒子の形態で均一に分散される。
【００１２】
被膜形成ポリマーには、ビニルポリマー、ポリウレタン、ポリエステル、アルキド樹脂、エポキシエステル樹脂、セルロースエステルのようなセルロースポリマー、変性デンプン、種々のシリコーン材料（ポリシロキサン、シリコーンガム及び樹脂など）、及びこれらの混合物が挙げられる。本明細書に用いるのに特に好ましいのは、オルガノシロキサン樹脂である。
【００１３】
オルガノシロキサン樹脂は、高度に架橋したポリマーシロキサン系である。この架橋は、シリコーン樹脂製造中に一官能性若しくは二官能性シラン又はこれらの両方と共に三官能性及び四官能性シランを組み込むことによって導入される。当該分野においてよく理解されているように、シリコーン樹脂を生成するために必要とされる架橋度は、シリコーン樹脂に組み込まれる特定のシラン単位によって異なる。通常、十分な量の三官能性及び四官能性シロキサンモノマー単位、そしてそれ故十分な量の架橋を有しており、その結果乾燥して堅いか又は硬い膜になるシリコーン物質はシリコーン樹脂であると見なされる。酸素原子とケイ素原子との比は特定のシリコーン物質における架橋のレベルを示す。ケイ素原子１個につき少なくとも約１．１個の酸素原子を有するシリコーン物質は、一般に本明細書のシリコーン樹脂となる。好ましくは、酸素：ケイ素原子の比は、少なくとも約１．２：１．０である。
【００１４】
特にシリコーン物質やシリコーン樹脂は、「ＭＤＴＱ」命名法として当該技術分野の熟練者に周知の略記命名システムに従って簡便に同定することができる。このシステムでは、シリコーンはそのシリコーンを構成する種々のシロキサンモノマー単位の存在により記載される。簡単に述べると、記号Ｍは一官能性単位（ＣＨ３）3ＳｉＯ0.5を示し、Ｄは二官能性単位（ＣＨ3）2ＳｉＯを示し、Ｔは三官能性単位（ＣＨ3）ＳｉＯ1.5を示し、Ｑは四官能性単位ＳｉＯ2を示す。加工の結果として、約５％までの少量のシラノール又はアルコキシ官能基が更に樹脂構造中に存在し得ることに留意するべきである。
【００１５】
ダッシュの付いた単位記号、例えばＭ’、Ｄ’、Ｔ’及びＱ’は、メチル以外の置換基を示し、それぞれの存在を具体的に定義しなければならない。典型的な代替置換基としてはビニル、フェニル、アミノ、ヒドロキシル等の基が挙げられる。
【００１６】
種々の単位のモル比は、当該シリコーンの各タイプの単位の総数を示す記号の下付き文字若しくはその平均に関連してか又は分子量と組み合わせた詳細に示された比として、ＭＤＴＱシステムに基づくシリコーン物質の記載を完了させる。
【００１７】
シリコーン樹脂内のＤ、Ｄ’、Ｍ及び／又はＭ’に対する、Ｔ、Ｑ、Ｔ’及び／又はＱ’の相対モル量がより高いことは、架橋の程度がより高いことを示している。しかし、前に議論したように、架橋の全体的なレベルはまた、酸素対ケイ素比によって示すことができる。
【００１８】
オルガノシロキサン樹脂は、約２５℃で固体であり、当該樹脂の平均分子量は約１，０００〜約１０，０００である。樹脂は、トルエン、キシレン、イソパラフィン、及びシクロシロキサンのような有機溶媒又は下に記載の有機溶媒に可溶性であり、このことは、樹脂が、溶媒中で不溶性である程には架橋していないことを示す。
【００１９】
本明細書に用いるのに好ましいシリコーン樹脂は、ＭＱ、ＭＴ、ＭＴＱ、及びＭＤＴＱ樹脂であり、このようなＭＱ樹脂は、米国特許第５，３３０，７４７号（クルジシク（Krzysik）、１９９４年７月１９日発行）に開示されている。このように、好ましいシリコーン置換基はメチルである。特に好ましいのは、Ｍ：Ｑ比が約０．５：１．０〜約１．５：１．０のＭＱ樹脂である。これらのようなオルガノシロキサン樹脂は市販されており、例えば、ワッカー・シリコーン社（Wacker Silicones corporation）（米国ミシガン州エードリアン）から入手可能なワッカー（Wacker）８０３及び８０４、並びにゼネラル・エレクトリック社（General Electric Company）から入手可能なＧ．Ｅ．１１７０−００２（ＳＲ１０００）がある。
【００２０】
本発明の液体処置製品に使用される樹脂の濃度は、処方中での、特に使用される溶媒中でのその溶解度に依存する。本発明に使用される樹脂の範囲は、一般的に、約５％〜約７０％、好ましくは約１５％〜約４５％、及び最も好ましくは約２０％〜約４０％である。
【００２１】
本発明の液体処置製品は、上に開示されているオルガノシロキサン樹脂に加えて更に、流体ジオルガノポリシロキサン系ポリマーをオルガノシロキサン樹脂と組み合わせて含んでもよい。本発明に有用な前記流体ジオルガノポリシロキサン系ポリマーは、２５℃で約１０〜約１０，０００，０００ｍｍ2ｓ-1という広範な粘度に及ぶ。本発明で有用なジオルガノポリシロキサン系ポリマーの中には、２５℃で１０，０００，０００ｍｍ2ｓ-1より大きい粘度を示すものがあり、したがって、製造業者固有の浸透試験によって特性が決定される。この特性決定の例は、浸透規格がそれぞれ５００〜１５００及び２５０〜６００（１０分の１ミリメートル）であるＧＥシリコーン材料ＳＥ３０及びＳＥ６３である。
【００２２】
本発明の流体ジオルガノポリシロキサンポリマーには、反復単位を含むジオルガノポリシロキサンポリマーがあり、前記単位が式（Ｒ2ＳｉＯ）nに相当し、式中、Ｒは、１〜６個の炭素原子を含有する一価のラジカルであり、好ましくは、メチル、エチル、プロピル、イソプロピル、ブチル、イソブチル、ｔ−ブチル、アミル、ヘキシル、ビニル、アリル、シクロヘキシル、アミノアルキル、フェニル、フルオロアルキル、及びこれらの混合物から選択される。本発明で採用される流体ジオルガノポリシロキサンポリマーは、１つ又はそれ以上の前記ラジカルをシロキサンポリマー主鎖の置換基として含有してもよい。
【００２３】
流体ジオルガノポリシロキサンポリマーは、式（Ｒ’3Ｓｉ）のトリオルガノシリル基によって終端されてもよく、式中、Ｒ’は、１〜６個の炭素原子を含有するラジカル、ヒドロキシル基、アルコキシル基、及びこれらの混合物から成る群から選択される一価のラジカルである。流体ジオルガノポリシロキサンポリマーは、溶液中で、オルガノシロキサン樹脂及び揮発性キャリアとの相溶性がなければならない。本明細書のオルガノシロキサン樹脂及び流体ジオルガノポリシロキサンポリマーのさらなる記述は、ＰＣＴ国際公開特許ＷＯ０１／０１９４０に包含されている。
【００２４】
（溶媒）
液体処置製品は、沸点が１５０℃未満、好ましくは１００℃未満であり、溶解度パラメータが２２（ＭＰａ）0.5未満である、被膜形成ポリマーのための有機溶媒をさらに含む。溶解度パラメータは、当該技術分野において周知であり、表から容易に入手でき、本明細書で使用したものは、バルトン（Barton）、「溶解度パラメータハンドブック（Handbook of Solubility Parameters）」、ＣＲＣプレス（CRC Press）、１９８３年からのＳＩヒルデブランド（Hildebrand）値である。
【００２５】
本発明において、被膜形成ポリマーは、歯のエナメル質のような処置面に容易に付着されなければならない。放出を達成するには、上記のポリマーが溶媒に組み込まれることが必要であり、具体的には溶媒は素早く揮発し、活性剤を含有する被膜を残さなければならない。
【００２６】
有機溶媒は一般的に、約１０％〜約９０％、好ましくは約１５％〜約８０％、より好ましくは約２０％〜約７０％の液体処置製品を含む。有機溶媒は、好ましくは、炭化水素油、揮発性シリコーン、非炭化水素溶媒、及びこれらの混合物から成る群より選択される。
【００２７】
本発明で有用な炭化水素油には、沸点が６０〜１５０℃の範囲のものが挙げられ、より好ましくは約Ｃ6〜約Ｃ10の炭素鎖長を持つ炭化水素油、最も好ましくはＣ7〜Ｃ10のパラフィン及びイソパラフィンが挙げられる。最も好ましいのはヘプタンである。
【００２８】
本明細書で有用な非炭化水素溶媒の一般的分類には、沸点が６０〜１５０℃の範囲のエステル、ケトン、アルコール、フルオロカーボン及びフルオロカーボンエーテルが挙げられる。特に有用な非炭化水素溶媒又はその混合物には、樹脂及び／又はジオルガノポリシロキサン系ポリマーを可溶化できるものが挙げられる。このような溶媒には、ブタノン、エチルアセテート、プロピルアセテート、アミルアセテート、エチルブチレート、メチルノナフルオロイソブチルエーテル、メチルノナフルオロブチルエーテル、及びこれらの混合物が挙げられるがこれらに限定されない。
【００２９】
好ましい溶媒は、エチルアセテート、２−ブタノン及びヘプタンから成る群から選択される溶媒であり、より好ましくは２−ブタノン（メチルエチルケトン）である。追加の溶媒を必要に応じて使用してもよい。
【００３０】
（活性剤）
液体処置製品はさらに活性剤を含む。本明細書のポリマー及び樹脂との相溶性を条件として、口腔及びスキンケア有益剤を含めて広範な活性剤を使用してもよい。
【００３１】
最も好ましいのは、歯の外観及び構造の変化、ホワイトニング、染みの漂白、染みの除去、歯垢除去、歯石除去、口腔の予防及び治療、炎症を起こした歯茎及び／又は出血する歯茎、粘膜の創傷、病変、潰瘍、アフター性潰瘍、ヘルペス、歯の膿瘍、及び上記の状態及び微生物の増殖のようなその他の原因の結果として生じる口臭の除去の効果を提供する口腔処置活性剤である。
【００３２】
好適な活性剤には、顔料のような歯用変色物質、ポリフォスフェ−トのような抗歯石剤、フッ化ナトリウムのようなフッ化イオン源、トリクロサンのような抗菌剤、フルルビプロフェン又はナプロキセンのような抗炎症剤、亜鉛及びビタミンのような栄養素、アスコルビン酸のような酸化防止剤、シメチジン及びラニチジンのようなＨ２受容体拮抗化合物、硝酸カリウムのような減感剤、並びに無機ハロゲン化スズのような抗ウイルス活性物質が挙げられる。
【００３３】
このような活性物質のより完全な一覧は、ＰＣＴ国際公開特許ＷＯ０１／０１９４０に見出される。
【００３４】
着香剤、甘味剤、界面活性剤、レオロジー変性剤及びキレート剤を含むその他の構成成分も、本発明の液体処置製品に含まれてもよい。
【００３５】
好ましい活性剤は、歯の表面の上又は内部の内因性又は外因性の染みを除去又は漂白する歯用ホワイトニング剤である。そのような物質は、好ましくは、過酸化物、亜塩素酸金属塩、過ホウ酸塩、過炭酸塩、過酸、過硫酸塩、及びそれらの組み合わせから成る群より選択される。好適な過酸化物には、過酸化水素、過酸化尿素、過酸化カルシウム、過酸化カルバミド及びこれらの混合物が含まれる。好適な亜塩素酸金属塩としては、亜塩素酸カルシウム、亜塩素酸バリウム、亜塩素酸マグネシウム、亜塩素酸リチウム、亜塩素酸ナトリウム及び亜塩素酸カリウムが挙げられる。その他の漂白剤物質は、次亜塩素酸塩及び二酸化塩素であってもよい。好ましい亜塩素酸塩は、亜塩素酸ナトリウムである。好ましい過炭酸塩は、過炭酸ナトリウムである。好ましい過硫酸塩はオキソン（oxone）である。これらの物質の濃度は、染みを漂白するために分子が提供できる、それぞれの利用可能な酸素又は塩素の量に依存する。本発明の組成物に一般に使用される濃度は、液体処置製品の約０．１％〜約３５％、好ましくは約１％〜約２５％、及び最も好ましくは約５％〜約１０％である。
【００３６】
（シールされた使い捨て包装）
本明細書の１回用量処置製品の別の要素は、積層体を含むシールされた使い捨て包装である。積層体は、アルミニウムバリヤー層と、ポリプロピレン、ポリイミド及びナイロン１２から選択されるポリマー接触層とを具備する。
【００３７】
包装は、袋、可剥性ブリスター及び引き裂いて開くブリスターのようないかなる好適な形態を含んでもよい。使い捨て包装のための好ましい包装形態は、１つの長手方向のシールと２つの横方向のシールを有する三方向シール袋である。三方向シール袋は、好ましくは横方向シールの１つに伸びる引裂切り目が提供されている。ＰＣＴ国際公開特許ＷＯ９５／０１９２１は、好適な三方向シール袋を記載している。米国特許第５，２２２，８１３号及び米国特許第５，３７１，９９７号も、好適な形態の包装を記載している。別の好ましい使い捨て包装の形態は、トレイ部分と積層体から作られるカバーとを含む可剥性ブリスターであり、カバーがトレイ部分にシールされる。このようなブリスターにおいて、トレイ部分は好ましくは積層体の接触層と同じ材料で作られており、最も好ましくはポリプロピレンであるか又は液体処置製品と接触するポリプロピレン層を有する。トレイ部分は、積層体からも形成できる。
【００３８】
積層体のアルミニウムバリヤー層は、溶媒及びその他の揮発物が包装から逃げるのを防止するために重要である。アルミニウムは、単独では、それ自体又は他の材料にヒートシールによってシールするのが困難であることから、有効な包装を形成するには不十分である。ポリマー接触層は、包装がその内側の液体処置製品と簡便にシールされるようにする機能を発揮する。しかし、シールの一体性が失われると、包装は漏洩する。この理由から、ポリマー接触層に最善の材料は、ポリプロピレン、ポリイミド及びナイロン１２であることが見出された。ポリプロピレンが好ましい。本明細書でのこれらの材料への参照には、２０重量％未満、好ましくは１０重量％未満、より好ましくは５重量％未満のその他のモノマーを含むコポリマーも包含される。
【００３９】
積層体シートのさらなる層を構築するため、例えば印刷可能な外表面を提供するために、その他の材料を使用してもよい。これらは、ポリエステル、ポリプロピレン、ポリエチレン及びポリエチレンテレフタレート（ＰＥＴ）のような、当該技術分野において通例のいかなるものとすることもできる。層は、当該技術分野において通例であるように、互いに接着される。積層体層の厚さは、引き裂き抵抗、費用及びバリヤー機能の組み合わせに基づいて選択される。三方向シール袋に好適な積層体は、２０μｍのアルミニウムバリヤー層に接着された５０μｍのポリプロピレン接着層を含み、当該バリヤー層が今度は、袋が形成された後に袋の外層を形成する１２μｍのＰＥＴ層に接着されている。
【００４０】
包装は、所望のヘッドスペースを考慮に入れて、１回用量を形成する所望量の液体処置製品を保持するように寸法が決定される。液体処置製品の好適な量は、約０．１ｍｌ〜約１０ｍｌ、好ましくは約０．２ｍｌ〜約２ｍｌ、より好ましくは約０．２ｍｌ〜約１ｍｌである。
【００４１】
（キット）
本発明は、複数の１回用量処置製品と複数の塗布具とを具備するキットも提供する。塗布具は、伸長する柄を有するブラシ又は再利用可能な柄と共に使用する交換可能なブラシ部分を具備してもよい。ブラシは、スポンジ又は綿棒で置換することもできる。キットの要素は、印刷された外側の紙箱内に包装されてもよい。
【００４２】
キットは、塗布具が使用後に乾燥した処置製品によって目詰まりし、再利用に適さない場合があることから、好ましくは１回用量製品につき１つの塗布具を含む。１つのキットで提供される塗布具及び１回用量製品の数は、１０〜２５で変動しうる。好ましい実施形態において、キットは、２週間、毎日の使用レジメンに適するよう、１４個の塗布具と１４個の１回用量製品とを包含する。キットは、ＰＣＴ国際公開特許ＷＯ０２／０７６３６に記載されているように、液体処置製品が塗布されている間に唇を後方に保持するための唇牽引子（lip retractor）をさらに包含してもよい。
【００４３】
（使用方法）
本発明はさらに、口腔の軟組織又は硬組織を処置する方法であって、本明細書に記載されているように、１回用量処置製品の包装を開封すること、口腔の軟組織又は硬組織へ液体処置製品を塗布すること、及び溶媒を蒸発させ、少なくとも１０分間の処置時間、残留処置製品を口腔の軟組織又は硬組織へ接触させておくことを含む方法に関する。処置時間の終了時に、残留する処置製品を除去する追加工程が必要になる場合がある。この目的のため、キットに歯ブラシも包含されてもよい。処置時間は、好ましくは１時間又はそれ以上であり、より好ましくは一晩である。
【００４４】
上述の方法は、長期レジメンを意図しており、好ましくは毎日、７日間〜２１日間、好ましくは１４日間繰り返される。適用される処置及び所望の効果に応じて、当然、より長い又は短いレジメン期間も使用してもよい。
【００４５】
キット要素の使用方法及び必要なレジメンの準拠方法に関する使用説明書も、一般にキットに包含されるべきである。
【実施例】
【００４６】
これは、本発明で使用するための代表的な液体処置製品である。他の代表的な液体処置製品は、ＰＣＴ国際公開特許ＷＯ０１／０１９４０に開示されている。
【００４７】
【表１】
2005538901.tif 000002
1ポリジメチルシロキサン、ダウ・コーニング（Dow Corning）より
2オルガノシロキサン樹脂、ゼネラル・エレクトリック（General Electric）より
3ジメチコンガム、ゼネラル・エレクトリック（General Electric）より
【００４８】
０．５ｍｌの液体処置製品を三方向シール袋内に包装して１回用量処置製品を形成する。袋は、２０μｍのアルミニウムバリヤー層に接着された５０μｍのポリプロピレン接着層を含む積層体から形成され、当該バリヤー層が今度は袋がヒートシールによって形成された後に袋の外層を形成する１２μｍのＰＥＴ層に接着されている。このような１回用量処置製品１４個とブラシ塗布具１４個を１つの紙箱に封入し、それによってキットを形成する。紙箱はさらに、次のような使用説明書を包含する。
【００４９】
【表２】
2005538901.tif 000003
本明細書に開示した発明は、一般的な特性から逸脱することなく、他の特定形態で実施され得るので、本明細書に記載した実施形態は、全ての点において単なる例示であると考えられ、本発明の範囲は、前述の記載ではなく、むしろ添付の請求の範囲により示される。故に、請求の範囲と等価の意味及び範囲内にある全ての実施形態は、本発明に取り入れられるものと意図される。
【国際調査報告】
2005538901.tif 000004
2005538901.tif 000005
2005538901.tif 000006
2005538901.tif 000007
2005538901.tif 000008